(57)【要約】  衝撃吸収材料でできた少なくとも１つの内部シェル（３）を備える類の保護ヘルメット（１）であって、内部シェルが、外側の外部シェル（２）で覆われ、かつヘルメット（１）の前方開口（１０）の境界を定め、並びに保護ヘルメットが、その外部シェル（２）に対して回転及び／又は並進させるように、かつかかる前方開口（１０）を少なくとも部分的に妨げる下げ位置と、上述の前方開口（１０）から解放する上げ位置との間で、及び逆もまた同様に、移動させるように保護ヘルメットに拘束される少なくとも１つの防眩バイザ（６）を備える、保護ヘルメット。有利には、保護ヘルメットは、その下げ位置からその上げ位置へと、又は逆もまた同様に、上述の防眩バイザ（６）を操作するために電気的に動作されるモータ手段（１１、１２、１３）と、上述のモータ手段（１１、１２、１３）を制御するために声で動作される自動制御ユニット（１８、１９）と、を更に備える。
2018523020.tif 000002
【特許請求の範囲】
【請求項１】
衝撃吸収材料でできた少なくとも１つの内部シェル（３）を備える類の保護ヘルメット（１）であって、前記内部シェルが、外側の外部シェル（２）で覆われ、かつ前記ヘルメットの前方開口（１０）の境界を定め、並びに当該保護ヘルメットが、前記外部シェル（２）に対して回転及び／又は並進させるように、かつ少なくとも部分的に前記前方開口（１０）を妨げる下げ位置と、前記前方開口（１０）から解放する上げ位置との間で、及び逆もまた同様に移動させるように、前記保護ヘルメット（１）に拘束される少なくとも１つの防眩バイザ（６）を備え、
前記下げ位置から前記上げ位置へと、又は逆もまた同様に、前記少なくとも１つの防眩バイザ（６）を操作するために電気的に動作されるモータ手段（１１、１２、１３）と、前記モータ手段（１１、１２、１３）を制御するために声で動作される自動制御ユニット（１８、１９）と、を備えることによって特徴付けられる、保護ヘルメット。
【請求項２】
前記モータ手段が、直流源によって動作される少なくとも１つの電気モータ（１１）を備える、請求項１に記載の保護ヘルメット。
【請求項３】
前記モータ手段が、ステッパ型の少なくとも１つの直流電気モータを備える、請求項２に記載の保護ヘルメット。
【請求項４】
前記モータ手段が、並進式に動作される駆動ロッド（１３）と、前記駆動ロッド（１３）から前記防眩バイザ（６）へと運動を伝達するレバーシステム（９、１４、１５）と、を備えることを特徴とする、請求項１〜３のいずれか一項に記載の保護ヘルメット。
【請求項５】
前記レバーシステム（９、１４、１５）が、前記防眩バイザ（６）と一体化され、及び前記防眩バイザ（６）を前記ヘルメット（１）の前記外部シェル（２）に蝶番式に動かすための少なくとも１つのヒンジピン（９）と、前記ヘルメットの前記前方開口（１０）に係合する前記防眩バイザ（６）の部分の少なくとも一部によって構成されたロードアーム（１４）と、前記前方開口（１０）に係合する前記防眩バイザの前記部分とは、前記少なくとも１つのピン（９）に対して、反対の前記防眩バイザ（６）の側部付属物によって構成された作用力アーム（１５）であって、前記駆動ロッド（１３）に拘束される作用力アーム（１５）と、を備える、請求項４に記載の保護ヘルメット。
【請求項６】
前記モータ手段が、前記少なくとも１つの電気モータ（１１）の出力シャフトの回転運動を前記駆動ロッド（１３）の前記並進運動に変換するための変換装置（１２）を備える、請求項２及び請求項４に記載の保護ヘルメット。
【請求項７】
前記変換装置が、ナットねじ及びウォーム型のものである、請求項６に記載の保護ヘルメット。
【請求項８】
少なくとも前記モータ手段（１１、１２、１３）及び前記自動制御ユニット（１８、１９）に直接的又は間接的に電力を供給するために、少なくとも１つの光起電性パネル（２２）及び／又は少なくとも１つのバッテリを更に備える、請求項１〜７のいずれか一項に記載の保護ヘルメット。
【請求項９】
前記少なくとも１つのバッテリが、リチウムイオン蓄積器である、請求項８に記載の保護ヘルメット。
【請求項１０】
前記少なくとも１つの光起電性パネル（２２）が、可撓性型のものである、請求項８に記載の保護ヘルメット。
【請求項１１】
前記声で動作される自動制御ユニットが、
少なくとも前記ヘルメット（１）の内側に向く少なくとも１つのマイクロホン（１９）と、
前記少なくとも１つのマイクロホン（１９）から来る信号を捕捉して処理するために、システムメモリを備えた処理システム（１８）と、を備える、請求項１〜１０のいずれか一項に記載の保護ヘルメット。
【請求項１２】
前記処理システム（１８）が、プログラム可能である、請求項１１に記載の保護ヘルメット。
【請求項１３】
前記自動制御ユニットが、発話認識モジュールと、前記電気的に動作されるモータ手段を制御するための制御モジュールと、を備える、請求項１１又は１２に記載の保護ヘルメット。
【請求項１４】
前記モータ手段（１１、１２、１３）及び前記制御ユニット（１８、１９）が、前記外部シェル（２）の下で、前記内部シェル（３）内に存在する座部内に少なくとも部分的に収容される、請求項１〜１３のいずれか一項に記載の保護ヘルメット。
【請求項１５】
少なくとも１つの内部スピーカ（２１）及び／又は１つの内部カメラ及び／又は１つの外部カメラ及び／又は無線通信システムを備え、それらは全て、前記自動制御ユニット（１８、１９）に動作可能に接続され得る、請求項１〜１４のいずれか一項に記載の保護ヘルメット。
【発明の詳細な説明】
【技術分野】
【０００１】
本発明は、支援される手法でユーザに操作される内部防眩バイザ又はサンバイザを備えた、好適には、オートバイ使用のための、保護ヘルメットに関する。
【背景技術】
【０００２】
オートバイ使用のための、又は、一般的に、好適には客室を有さない輸送手段、例えば、オートバイ、スクータ、スノーモービル、レーシングカー等の上で使用できる保護ヘルメットであって、全て、逆の空気流及び／又は種々の外部環境因子、例えば、風、雨、又は場合によっては昆虫などからユーザの顔を保護するように適合された、例えば、Ｐｉｎｌｏｃｋ（登録商標）型の霧耐性デバイスを装備した、第１の透明バイザと、例えば、日光からユーザの眼を保護する機能を有する光沢のある又は鏡面状のものであって、通常、「サンバイザ」又は「防眩バイザ」と名付けられた、第２の半透明バイザと、を備えた、保護ヘルメットの実現は、既知の技術である。
【０００３】
より詳細には、第１の透明バイザ及び第２の防眩バイザの両方は、防眩バイザが内側に、すなわち、保護ヘルメットの前方開口において、必要に応じて使用中に、かかる防眩バイザの上に置かれる透明なものよりもユーザの顔の更に近接に配列されるように、通常、保護ヘルメットの外部シェルに対して枢動される。
【０００４】
明らかに、両方のバイザは、それらが、ヘルメットの前方開口を妨げない上げ位置と、逆に、それらが、かかる前方開口を妨げて、ユーザの顔、又は少なくとも眼を保護する下げ位置との間で、手動でユーザによって動かすことができる。
【０００５】
例えば、ＢＭＷ名義のイタリア特許ＩＴ１１７７２５０Ｂは、オートバイ使用のためのかかる保護ヘルメットであって、ヘルメットの外部シェルに対して枢動される色付き防眩バイザが、透明保護バイザを載せており、かつ、それが外側ヘルメットシェルの下に存在するポケット内に収容される上げ位置と、それがユーザの眼を日光から保護する下げ位置から、及び逆の位置も同様に、ユーザによって動かすことができる、保護ヘルメットを説明する。
【０００６】
通常、内部防眩バイザは、手動でユーザに操作されるように、保護ヘルメットの外部シェルの側部に配列された手動制御を備えている。
【０００７】
Ｌｏｃａｔｅｌｌｉ名義の国際特許出願ＷＯ２００８／０３４４８６Ａ１は、例えば、オートバイ使用のための保護ヘルメットの防眩バイザを手動で制御する機構であって、ヘルメットの外側シェルに対して枢動される上述の防眩バイザにレバー及びロッドによって接続される作動スライダが、手動のユーザアクセスが支援されるように、同じ外部シェルの下部側端に配列される、機構を説明する。
【０００８】
防眩バイザを上げ又は下げさせるための手動制御の使用は、効果的かつ信頼できるが、保護ヘルメットのユーザが、不十分な明るさの領域、例えばトンネルを、明る過ぎる領域、例えば、日光が前方で同じユーザに届く領域などに向かって、又は逆も同様に、走って通過するときに、かかる防眩バイザを迅速かつ安全に上げる又は下げることの不可能性に起因して、場合によっては、ユーザの安全性ニーズを満たすのに不適切であることが判明されている。
【０００９】
事実、既知の技術の本明細書に報告されるヘルメットを用いると、とりわけ、ユーザが、２つのアームを有するハンドルバーを備えた自動車を運転する場合において、走行中の明るさ状態の急な変化は、ユーザに、防眩バイザを迅速に有効にするために、ハンドルバーから少なくとも片手を離すこと、さもなければ、かかる防眩バイザの上げ又は下げを後回しにすることによって、走行安全性の大きな悪化を伴って、視覚的能力の一時的な悪化を受け入れることを強いる。
【００１０】
保護ヘルメットの外部透明バイザを上げ／下げするための電動制御デバイスが、更に既知である。
【００１１】
これらのデバイス、例えば、ＣＡ２１２４７８０（Ｆｉｓｋ）に説明されるものなどは、それぞれのバッテリによって駆動され、かつそれ自体の自動コントローラを備えた、電気モータの、保護ヘルメットのシェル内への統合と、車両自体上に組み立てられた適切な遠隔制御を通してユーザによって送信される対応する手動制御に従う、モータ自体による同じヘルメットの透明バイザの上げ又は下げと、を提供する。
【００１２】
しかしながら、防眩バイザに適用されない、かかる解決策は、保護ヘルメットの外部透明バイザの信頼性の高い上げを可能にするが、何れにせよ、ユーザが、遠隔制御を操作して、それゆえ、同じ透明バイザの上げ又は下げの制御を電気モータに送信するために、車両ガイドから片手、又はその少なくとも一部分を離すことを伴う。
【００１３】
なお更に、せいぜい、かかる解決策は、それの急に上げ又は下げる必要性なしに、完全に上げたものと、完全に下げたものの中間の位置においても、外部透明バイザを上げ又は下げたままにする必要性を満たす必要がある。それゆえ、せいぜい、透明バイザのための既知の電動デバイスは、好都合なサイズを有するギアを通して発生する電気モータから外部透明バイザへの運動伝達を提供し、それは、同じ透明バイザが、１つ以上の既定の角度位置に、ただし、バイザ自体の上げ又は下げの迅速さを保証せずに、到達することを可能にする。
【発明の概要】
【発明が解決しようとする課題】
【００１４】
したがって、本発明の目的は、不満を漏らされる前に、既知の先行技術の欠点を呈さない、防眩バイザ又はサンバイザを備えた類の保護ヘルメットを実現することにある。
【００１５】
したがって、本発明の目的は、ユーザのガイド安全性を危険にさらさずに、かつ非常に信頼性が高く、非常に迅速に上げ又は下げすることができる防眩バイザを有する保護ヘルメットを提供することにある。
【００１６】
本発明の別の目的は、保証信頼性及び安全性に加えて、小型でもあり、かつ大きな保守を必要としない、防眩バイザを備えた保護ヘルメットを実現することにある。
【課題を解決するための手段】
【００１７】
これらの及び他の目的は、好適には、自動車又は一般に車両のための、特に、第１の独立請求項及び後続の従属請求項に従う、客室を有さないもののための、保護ヘルメットによって達成される。
【００１８】
好適には、オートバイ使用のための又は一般に車両のための、本発明に従う保護ヘルメットは、衝撃吸収材料、例えば、発泡ポリスチレン又は発泡ポリプロピレン（ＥＰＰ）などでできた少なくとも１つの内部シェルであって、例えば、ポリカーボネート、繊維ガラス、炭素繊維、又はケブラー（Ｋｅｖｌａｒ）でできた外部シェルで覆われ、かつヘルメットの前方開口の境界を定める内部シェルのみならす、外部シェルに対して回転する及び／又は並進するように、かつ、少なくとも部分的に上述の前方開口を妨げる下げ位置と、かかる前方開口から解放する上げ位置との間で、及び逆もまた同様に、動くように、保護ヘルメットに拘束された少なくとも１つの防眩バイザを備える。有利には、保護ヘルメットは、その下げ位置からその上げ位置へと、又はその逆へと防眩バイザを操作するために、例えば、１つ又は２つの電気ステッパモータによって構成された、電気的に動作されるモータ手段と、モータ手段を制御するために、すなわち、その動作を制御するために、声で動作される自動制御ユニットと、を備える。
【００１９】
当業者は、同じヘルメットのユーザによって声で制御される車両用の保護ヘルメットの防眩バイザを操作するための少なくとも１つの電気モータの使用が、走行安全性を大いに増大させることを可能にすることを容易に理解し得る。なぜなら、本発明の解決策の目的は、明るさ状態が変化するとき、ユーザが、単に既定の音声制御に話すことによって、防眩バイザ（サンバイザ）を迅速に上げ又は下げすることを可能にするからである。
【００２０】
本発明の好適な態様によれば、防眩バイザのための電気的に動作されるモータ手段は、好適には、バッテリによって駆動される、ステッパ型の直流電気モータを備えることができる。
【００２１】
その上、本発明の好適な実施形態において、これらのモータ手段が、並進動作される駆動ロッド、又はピン、及び防眩バイザをかかる駆動ロッドに運動力学的に接続するレバーシステムを更に備えることができる。好適には、レバーシステムは、防眩バイザと一体化されており、防眩バイザ自体をヘルメットの外部シェルに蝶番式に動くようにするための少なくとも１つのヒンジピンと、ヘルメットの前方開口に係合するバイザ部分によって構成されたロードアームと、前方開口に係合する防眩バイザの部分とは、少なくとも１つのピンに対して、反対のその防眩バイザの側部付属物によって構成された作用力アームであって、前述の駆動ロッド又はピンに拘束される作用力アームと、を備える。
【００２２】
本発明の別の態様によれば、前述のモータ手段が、前述の電気モータの入力シャフトの回転運動を、好適には、ナットねじ及びウォーム型の、駆動ロッド又はピンの並進運動に変換するための変換装置を備える。
【００２３】
本発明に従う保護ヘルメットの好適な実施形態において、モータ手段が、例えば、ヘルメットの使用中、ヘルメット自体の外部シェル上で利用される少なくとも１つの光起電性パネルによって、充電の正しい状態に維持されることができる、バッテリ又は蓄積器によって更に動力を付けられる。
【００２４】
本発明に従うヘルメットの声で動作される自動制御ユニットは、好適には、ヘルメットの内側に向く、すなわち、後者の内側で人間の音声を受信することができる、少なくとも１つのマイクロホンと、ＲＡＭ及び／又はＲＯＭメモリを備え、かつ声の認識をすることができる、すなわち、前述のモータ手段の電気モータを正確に制御することに加えて、ユーザの音声解析を実行することができるソフトウェアを備えた、好適にはプログラム可能な処理システムと、を備える。
【００２５】
更なる実施形態において、本発明の保護ヘルメットの目的は、対応する外部シェルの下で、内部シェル内に存在する座部に少なくとも部分的に収容されるための前述のモータ手段及びそれぞれの制御ユニットを提供することができる。
【図面の簡単な説明】
【００２６】
本発明に従う保護ヘルメットの一部の好適な実施形態が、添付図面を参照して、単なる例示及び非限定的な目的のために、以下に説明される。
【００２７】
【図１】図１は防眩バイザ（又はサンバイザ）を備えた保護ヘルメットの概略側断面図である。
【図２】図２は本発明の特定の態様に従う保護ヘルメットの側面図である。
【図３】図３は本発明のある態様に従う保護ヘルメットの概略側面図であり、同じヘルメットの一部の内部構成要素が強調されている。
【図４】図４は依然として、本発明の特徴的な態様に従う保護ヘルメットの概略側面図であり、同じヘルメットの一部の他の内部構成要素が強調されている。
【図５】図５はその具体的な実施形態における保護ヘルメットの制御システムを図式化するブロック図である。
【発明を実施するための形態】
【００２８】
最初に、図１を参照すると、当技術に既知のように、例えば、ポリカーボネート、ガラス繊維、炭素繊維、Ｋｅｖｌａｒ、又は他の実質的に剛性の材料でできた外部シェル２と、例えば、発泡ポリスチレン又は発泡ポリプロピレン（ＥＰＰ）又は衝撃力吸収が可能な他の材料でできており、外部シェル２の下の位置に配列され、かつヘルメット１が受ける可能性のある起こり得る衝撃を吸収するために意図された内部シェル３と、を備える類の、好適には、オートバイ使用のための保護ヘルメット１が、一般的に描写される。既知の技術によれば、内部シェル３の下には、ユーザの快適さを増すために意図された、例えば、気泡ゴムでできた、パッド４が存在する。
【００２９】
外部シェル２は、内部シェル３と共に、ヘルメット１自体にフィットさせるための下側開口と、ユーザの顔に少なくとも部分的に重なることを意図された前方開口１０と、を画定する。
【００３０】
保護ヘルメット１は、外部環境に対する（例えば、前方気流又は起こり得る悪天候に対する）顔の保護として機能する、例えば、ポリカーボネートでできた、透明外部バイザ５と、同様にポリカーボネートでできているものの、防眩又はサンバイザの機能を有するスモーク又は「鏡面」状の内部半透明バイザ６と、を更に備える。
【００３１】
保護ヘルメット１にフィットさせるための開口を閉じるために配列され、「あご用ストラップ」と名付けられた安全ストラップ７が、ヘルメット１自体を完成させる。
【００３２】
本明細書において及び以下において、用語「防眩バイザ」が、広範囲に言うと、用語「サンバイザ」の同義語として使用されることに留意されたい。
【００３３】
保護ヘルメット１の描写される実施形態では、防眩バイザ６が、ユーザの視界を起こり得る高強度光線から保護するように、透明バイザ５に対して内側に、すなわち、ユーザの顔により近い位置に配列され、かつ、それが、ヘルメット１の前方開口１０を妨げない上げ位置と、それが、かかる前方開口１０を部分的に妨げる下げ位置との間で、及びその逆も同様に、外部シェル２に対して移動されるように、保護ヘルメット１上に回転可能かつ並進可能に形作られ、組み立てられる。
【００３４】
また、透明外部バイザ５は、当技術に既知のように、ヘルメット１の前方開口１０を妨げる位置から、かかる前方開口１０から解放する位置へと、及びその逆も同様に、移動されるように、ヘルメット１上に組み立てられる。
【００３５】
好適には、外部透明バイザ５及び内部防眩バイザ６の両方が、同じヘルメット１の両側に配列されたそれぞれの２組の同軸ピン８及び９によって（例えば、図３を参照）、それらのバイザが、これらのピン８、９の周りを回転できるように、保護ヘルメット１の外部シェル２上で枢動される。
【００３６】
特に、既知の技術によれば、外部透明バイザ５は、その上げ位置からその下げ位置へと、及びその逆も同様に、回転するように、ユーザによって手動で操作することができる。
【００３７】
２つのバイザ５、６、すなわち、透明のもの及び防眩のものを備えた保護ヘルメット１が本明細書に示されているが、本発明はまた、当業者が直ちに理解するように、防眩６の類の１つのバイザのみ、例えば、いわゆる「ジェット」ヘルメットの防眩バイザなどを備えた保護ヘルメット１にも適用することができる。
【００３８】
類似的に、防眩６が、外部透明バイザ５に対して内側にあり、バイザ５、６の両方が、ヘルメットの外部シェル２に対して枢動される、保護ヘルメット１のある実施形態が、本明細書に示されているが、少なくとも防眩６の上げ及び下げを可能にする、これらのバイザ５、６の全ての他の逆の配列及び保護ヘルメット１に対するその全ての他の拘束が、本発明の保護範囲から逸脱することなく、ヘルメット１において同等に実現され得る。
【００３９】
その上、同様に、本明細書に報告される図１が、その上げ位置にある防眩バイザ６が、内部衝撃吸収シェル３に存在する座部内に収容され得る解決策を描写する場合、当技術に既知の任意の他の解決策、例えば、同じ外部シェル２の外側の位置にある、又は内部シェル３と外部シェル２の間に部分的に置かれた位置にある防眩バイザ６の配列などが、本発明に関して特許請求される保護限定から逸脱することなく、本明細書に説明されるヘルメット１において使用されるものとする。
【００４０】
有利には、本発明によれば、例として本明細書に描写される保護ヘルメット１は、電気的に動作されるモータ手段１１、１２、１３を更に備え、そのモータ手段は、防眩バイザ６に一旦接続されると、ヘルメット１の前方開口１０との少なくとも部分的な妨げのその位置から、かかる前方開口１０からの解放のその位置への、及びその逆も同様に、後者の支援移動を可能にする。
【００４１】
その上、発明に従う保護ヘルメット１は、前述のモータ手段１１、１２、１３に動作可能に接続される声で動作される自動制御ユニット１８、１９を更に備え、その働きを調節し、次いで、保護ヘルメット１自体の前方開口１０からの妨げ及び解放の２つの前述の位置の間の、防眩バイザ６の自動的に調節された変位を可能にする。
【００４２】
本明細書に描写される本発明の特定の実施形態において、特に図２及び３を参照すると、モータ手段１１、１２、１３及びそれぞれの声で動作される自動制御ユニット１８、１９は全て、例えば、外部シェル２の背面領域に存在する筐体１６内に収容された、少なくとも１つのバッテリによって、及び例えば、ヘルメット１の同じ外部シェル２の上部領域上に配列された、少なくとも１つの光起電性パネル２２によって、動力を付けられる。
【００４３】
より詳細には、可撓性薄膜型のものであり得る光起電性パネル２２が、例えば、適切な変圧器を通して、好適には、リチウムイオンの類の蓄積器によって構成されたバッテリ電力供給源に接続され得、次いで、かかるバッテリが、適切な回路を通して、モータ手段１１、１２、１３及びそれぞれの声で動作される自動制御ユニット１８、１９の両方に電気的に接続され得る。
【００４４】
このようにして、モータ手段１１、１２、１３及び自動制御ユニット１８、１９は、好適には、光起電性パネル２２によって間接的に、及びリチウムイオンバッテリ又は蓄積器によって直接的に、直流動力を付けられる。
【００４５】
本発明の特徴的な態様によれば、本明細書に描写される保護ヘルメット１は、ヘルメット１の外部シェル２の外側に作製された適切なコネクタを通して後者に接続可能な外部電力供給源によって、例えば、リチウムイオン蓄積器によって構成された、前述のバッテリが充電されることを可能にする外部バッテリ充電システムを更に備えることが認められるはずである。
【００４６】
かかる供給用コネクタは、自動制御ユニット１８、１９を接続及び制御するためのコネクタと共に、好適には、ヘルメット１の外部シェル２の底部に置かれる適切なヘッダ２０内に収容され得る。
【００４７】
保護ヘルメット１のモータ手段１１、１２、１３及びそれぞれの自動制御ユニット１８、１９に動力を付けるためのハイブリッドシステムが、本発明に従って本明細書に描写されているが、当技術において既知の任意の他の供給用システムが、代わりに、例えば、光起電性パネルのみ又は１つの再充電可能なバッテリのみ又は任意の他の既知の電力供給源に基づいて、使用され得ることは明白であろう。
【００４８】
同様に、本明細書では直流供給に言及されているが、本明細書に説明される発明の保護範囲から逸脱することなく、少なくともモータ手段のための、交流供給を実現することが可能である。
【００４９】
本明細書に描写される本発明の好適な実施形態では、モータ手段１１、１２、１３が、例えば、ヒンジによって、ヘルメット１の外部シェル２に拘束される直流電気モータ１１を備え、そのモータは、有利には、それぞれの自動制御ユニット１８、１９の正確な、すなわち、極めて精密な、動作調節を可能にするような、ステッパ型のものであり得る。
【００５０】
図４に示される実施形態に見られ得るように、電気的に動作されるモータ手段は、往復直線運動に沿って少なくとも並進動作される駆動ロッド又はピン１３と、駆動ロッド１３の運動を防眩バイザ６に伝達するレバーシステム９、１４、１５と、を更に備える。
【００５１】
駆動ロッド１３は、同じ電気モータ１１の出力シャフトの回転運動をかかる駆動ロッド又はピン１３の並進運動に変換するための変換装置１２によって、電気モータ１１に運動力学的に接続される。概略的に描写されるように、かかる変換装置１２は、ナットねじ及びウォーム型のものであり得、モータ１１に起因して及びウォームのねじ山に係合する適切なナットねじを備えた、ナットねじの回転は、ナットねじの回転方向が交替する際に、ウォーム自体の回転並進、特に、かかるウォームの往復並進を引き起こす。
【００５２】
変換装置１２のウォームは、駆動ロッド又はピン１３の端部に、例えば分岐部によって、拘束され、後者は、次いで、その他の端部において、例えばピンによって、前述のレバーシステム９、１４、１５に拘束される。
【００５３】
本発明の好適な態様によれば、かかるレバーシステムは、防眩バイザ６と一体化され得、すなわち、後者のスクリーンと共に１つのピースに作製され得、したがって、ヘルメット１の外部シェル２に対して蝶番式に動く防眩バイザ６のヒンジピン９と合致する支点部と、前述のピン９に対して反対側に配列された２つの実質的に同軸のアームと、を備え得る。
【００５４】
より詳細には、図４を参照すると、本明細書に示されるレバーシステムは、ヘルメット１の前方開口１０に係合する防眩バイザ６の部分（スクリーン）の少なくとも一部によって構成された、特に、防眩バイザ６のかかるスクリーンの上部によって構成されたロードアーム１４と、防眩バイザ６自体のスクリーンの側部付属物によって構成された作用力アーム１５と、を備える。かかる作用力アーム１５は、例えばヒンジによって、駆動ロッド１３に拘束される。
【００５５】
このようにして、当業者に明らかであろうように、電気モータ１１の動作は、所与の手法でナットねじの回転及び変換装置１２のウォームの対応する回転並進、その結果として、駆動ロッド又はピン１３の並進を引き起こす。後者は、その順番になって、前述の作用力アーム１５との拘束のお陰で、レバーシステム９、１４、１５の回転、したがって、保護ヘルメット１の前方開口１０に対する防眩バイザ６の駆動ロッド１３の並進方向に応じて、上げ又は下げを引き起こす。
【００５６】
他の類の、例えば、線形の類の電気モータが、レバーシステム９、１４、１５と共に、代わりに使用され得ることと、電気モータ１１から防眩バイザ６に運動を伝達する他の類の手段が、本明細書に特許請求される保護範囲から逸脱することなく、代わりに使用され得ることと、が認められるはずである。
【００５７】
本明細書に説明され、かつ電気的に動作されるモータ手段１１、１２、１３を備えた保護ヘルメット１が、ヘルメット１の外部シェル２の片側に配列された１つの直流電気モータ１１のみを備える場合でさえも、同様に、外部シェル２の両側に配列された、かつ相互に同期されるステッパ型の２つの直流電気モータの使用が可能であることが更に認められるはずである。
【００５８】
本発明の好適な態様によれば、モータ手段１１、１２、１３を調節するための上述の声で動作される自動制御ユニット１８、１９は、図３の図式を参照すると、保護ヘルメット１の内側でユーザの音声を捕捉するように配列された少なくとも１つのマイクロホン１９と、少なくとも１つのシステムバス並びにＲＡＭ及び／又はＲＯＭの類のそれぞれのメモリと共に、明らかにマイクロプロセッサを備えた処理システム１８と、を備え、その処理システムは、１つ以上の音声制御を検出して、それらをモータ手段１１、１２、１３のための動作制御に変換するために、前述のマイクロホン１９に動作可能に接続され、かかるマイクロホン１９から来る信号を捕捉して処理する。
【００５９】
この目的のために、制御ユニット１８、１９は、電気的に動作されるモータ手段、特に、電気ステッパモータ１１を制御／駆動するために、第１の発話認識モジュール及び第２の制御／駆動モジュールを備え、上述の処理システム１８は、プログラム可能な類のものである。
【００６０】
用語「モジュール」に関して、本明細書において、ハードウェア及び／又はソフトウェアの類の当技術において既知の、並びに例えば、上述の処理システム１８によって駆動されるそれぞれの回路基板によって実装される、任意のシステムのことを言い、それは、同じ処理システム１８が、外側デバイス、例えば、正確には、マイクロホン１９及び電気モータ１１などとインターフェースを取ることを可能にすることに留意されたい。
【００６１】
次いで、ユーザの音声を捕捉するために内部シェル３の内側に好都合に配列されるマイクロホン１９から来る声の信号が、制御ユニット１８、１９の発話認識モジュールに伝達され、好都合に処理され、例えば、周波数解析及びシステムメモリ内に事前に記憶されたパターンとの比較によって、一旦、処理システムによって認識されると、ある手法又は他の手法で電気モータ１１の出力シャフトを駆動するための駆動制御に変換され、したがって、例えば、変換装置１２、駆動ロッド１３、及びレバーシステム９、１４、１５のお陰で、保護ヘルメット１の前方開口１０に対する防眩バイザ６の制御された上げ又は下げを引き起こす。
【００６２】
例えば、制御ユニット１８、１９は、発話認識モジュールのお陰で、ユーザによってヘルメットに与えられた単純な制御、例えば、「上げ」又は「下げ」など、モータ手段１１、１２、１３の制御／駆動モジュールのお陰で、これらの制御に続く防眩バイザ６を上げる又は下げる対応する動作を認識することができる。
【００６３】
例えば、同じ処理システム１８の２つの異なった動作モード、すなわち、既定の制御を与える可能性のみを有する「ユーザの種類」の一方と、同じシステム１８をプログラミングすることの（例えば、パスワードによる）排他的な可能性を有する「アドミニストレータの種類」の他方を提供することによって、ユーザの共通使用とは別個に制御ユニットの処理システム１８のプログラミング性を実装することは、本明細書に説明される保護ヘルメット１におそらく実装され得る他の補助デバイスと共に、その可能な使用に加えて、制御ユニットの高い使用柔軟性、異なる言語及び制御へのその適合を保証する。
【００６４】
記述したように、制御ユニット１８、１９のプログラミングは、上述のヘッダ２０内に収容することができる適切なコネクタを通した上述の処理システム１８への、例えば、外部プロセッサなどの外部プログラミング機器の可能な接続のお陰で、保護ヘルメット１の外側から実行することができる。
【００６５】
その上、制御ユニット１８、１９又はそれぞれの発話認識モジュールは、同じ声の制御の認識の精密さが増大されるように、マイクロホン１９を通して与えられる声の制御を学習する初期ステップを可能にするためにプログラミングすることができる。
【００６６】
好適には、モータ手段１１、１２、１３、レバーシステム９、１４、１５、及び、とりわけ、自動制御ユニット１８、１９は、ユーザが、支援される手法で防眩バイザ６を中間位置に移動することを許可されないように、防眩バイザ６が、完全に上げられる、すなわち、ヘルメット１の前方開口１０から解放されるか、又は完全に下げられる、すなわち、かかる前方開口１０を部分的に妨げる、２つの位置の一方のみに変位されることを可能にするように設計される。
【００６７】
更に好適には、本発明の別の態様によれば、保護ヘルメット１は、防眩バイザ６を手動で操作するための手段１７を備えることができ、それは、モータ手段１１、１２、１３又は自動制御ユニット１８、１９の起こり得る誤動作が補償され得るように、後者が、ユーザによって手動で上げられる又は下げられることを可能にする。
【００６８】
それぞれの発話認識モジュールとモータ手段１１、１２、１３を制御／駆動するための制御／駆動モジュールと共に、少なくともマイクロホン１９及び処理システム１８を備える、モータ手段１１、１２、１３及び制御ユニットは、好適には、内部衝撃吸収シェル３に存在する適切な筐体内に、又はかかる内部シェル３及び外部シェル２の間に配列される。
【００６９】
図５に概略的に示されるような本発明の好適な態様によれば、保護ヘルメット１は、制御ユニット１８、１９に、特に、処理システム１８に動作可能に接続された１つ以上の補助デバイスを備えることができる。
【００７０】
例えば、保護ヘルメット１は、好適には同様に、内部シェル３に存在する筐体内に配列されたスピーカ２１を備えることができ、そのスピーカは、制御ユニット１８、１９が信号又は情報をユーザに伝達することを可能にするか、あるいは、無線通信システム、例えば、Ｂｌｕｅｔｏｏｔｈ（登録商標）システムと、及びマイクロホン１９と協働して、結合される場合、ユーザが、外部電話機、例えば、又は２つのヘルメットの間のインターコムシステムを使用することを可能にしてもよい。
【００７１】
例えば、Ｂｌｕｅｔｏｏｔｈ（登録商標）の類の、無線通信システムの使用は、上記された制御ユニット１８、１９が、他の外側デバイス、例えば、車両の光を制御するための又はサーモスタット式ジャケットを加熱するための制御デバイスとインターフェースを取られることを更に可能にし得、それゆえ、ユーザが、ハンドルバー又はハンドルから片手又はそれどころか数本の指のみを離す必要性なしに、声の制御によって、かかる外側デバイスを制御することを可能にする。
【００７２】
なお更に、保護ヘルメット１は、例えば、外部シェル２の頂部に固定された及び画像を撮影してそれらを適切な記憶媒体上に記憶することができる例示されない外側カメラを備え得る。それどころか、この外側カメラは、上述の制御ユニット１８、１９とインターフェースを取って、次いで、保護ヘルメット１のユーザによって声で制御することができる。
【００７３】
最後に、これらの構成要素の小型化の増大に起因して、保護ヘルメット１は、内部カメラ、すなわち、例えば、内部シェル３に存在する筐体内にあり、かつユーザの顔に向いているヘルメット１の上部位置に配列された、カメラを更に備えることができる。このため、一旦カメラが制御ユニット１８、１９に対してインターフェースを取られたら、それは、処理システム１８によって使用することができ、ユーザの疲労レベルを検証して、次いで、ことによると、例えば、スピーカ２１によって、同じユーザのための警告信号の生成を可能にする。
【００７４】
当然、上記された保護ヘルメット１のための追加的な補助デバイス又は変形若しくは改良が、本明細書に特許請求される保護範囲から逸脱することなく、作られ得る。
【図１】
2018523020.tif 000003
【図２】
2018523020.tif 000004
【図３】
2018523020.tif 000005
【図４】
2018523020.tif 000006
【図５】
2018523020.tif 000007
【国際調査報告】
2018523020.tif 000008
2018523020.tif 000009